(57)【要約】【課題】乳房の周囲の脂肪をカップ部内に掬い寄せる動作を行いやすくすることのできるカップ付き女性用衣類を提供する。【解決手段】ブラジャー１には、乳房を支持する右カップ１１および左カップ１２を含むカップ部１０と、同カップ部１０を下方から支持する支持部２０とが設けられている。また、支持部２０のうちの右カップ１１の下方と対応する部分に右開口部３６Ｒが設けられている。また、支持部２０のうちの左カップ１２の下方と対応する部分に左開口部３６Ｌが設けられている。【選択図】図１
2012188778.tif 000002
【特許請求の範囲】
【請求項１】
乳房を支持するカップ部と、同カップ部を下方から支持する支持部とを備えるカップ付き女性用衣類において、
前記支持部のうちの前記カップ部の下方と対応する部分に開口部が設けられていること
を特徴とするカップ付き女性用衣類。
【請求項２】
請求項１に記載のカップ付き女性用衣類において、
前記開口部を覆う被覆部が設けられていること
を特徴とするカップ付き女性用衣類。
【請求項３】
請求項２に記載のカップ付き女性用衣類において、
前記被覆部の伸縮性が前記支持部の伸縮性よりも大きいこと
を特徴とするカップ付き女性用衣類。
【請求項４】
請求項２または３に記載のカップ付き女性用衣類において、
前記被覆部が前記開口部に対応する身体の表面を押さえ付けることが可能な張力を生じること
を特徴とするカップ付き女性用衣類。
【請求項５】
請求項２〜４のいずれか一項に記載のカップ付き女性用衣類において、
前記被覆部の右縁および前記被覆部の左縁が前記支持部に接続されていること、
ならびに、前記被覆部の上縁が前記支持部および前記カップ部から独立していること
を特徴とするカップ付き女性用衣類。
【請求項６】
請求項５に記載のカップ付き女性用衣類において、
前記被覆部の下縁が前記支持部から独立していること
を特徴とするカップ付き女性用衣類。
【請求項７】
請求項１〜６のいずれか一項に記載のカップ付き女性用衣類において、
前記カップ部には、右の乳房を覆う右カップと左の乳房を覆う左カップとが設けられていること、
前記開口部として、前記右カップに対応する右開口部、および前記左カップに対応する左開口部が設けられていること、
ならびに、前記右開口部と前記左開口部との間に設けられて前記右開口部と前記左開口部とを互いに隔てる中間支持部が前記支持部に設けられていること
を特徴とするカップ付き女性用衣類。
【請求項８】
請求項７に記載のカップ付き女性用衣類において、
前記右開口部の幅が前記右カップの最大の幅の３分の１以上の大きさに設定されていること、
ならびに、前記左開口部の幅が前記左カップの最大の幅の３分の１以上の大きさに設定されていること
を特徴とするカップ付き女性用衣類。
【請求項９】
請求項１〜８のいずれか一項に記載のカップ付き女性用衣類において、
前記開口部の幅が上方から下方に向かうにつれて次第に大きくなること
を特徴とするカップ付き女性用衣類。
【請求項１０】
請求項１〜９のいずれか一項に記載のカップ付き女性用衣類において、
前記支持部のうちの前記開口部の縁に対応する部分を補強する補強部材が設けられていること
を特徴とするカップ付き女性用衣類。
【請求項１１】
請求項１〜１０のいずれか一項に記載のカップ付き女性用衣類において、
前記支持部には、前記カップ部に接続されて前記支持部の主要な部分を形成する基礎支持部と、前記支持部においての前記開口部の下方に対応する部分を形成する下方支持部とが含まれること、
ならびに、前記下方支持部の張力が前記基礎支持部の張力よりも大きいこと
を特徴とするカップ付き女性用衣類。
【請求項１２】
請求項１〜１１のいずれか一項に記載のカップ付き女性用衣類において、
前記支持部が前記カップ部の下方からウエストと対応する部分までにわたり設けられていること
を特徴とするカップ付き女性用衣類。
【発明の詳細な説明】
【技術分野】
【０００１】
本発明は、乳房を支持するカップ部と、同カップ部を下方から支持する支持部とを備えるカップ付き女性用衣類に関する。
【背景技術】
【０００２】
上記カップ付き女性用衣類として、特許文献１に記載のブラジャーが知られている。
一般に、ブラジャーを着用するユーザは、乳房の形状を整えるための作業として次のものを行なう。すなわち、ブラジャーを着用した状態においてカップ部の上方からカップ部の裏側と乳房との間に手を差し入れる。次に、カップ部の裏側に差し入れた手を乳房の周囲まで移動させ、乳房の周囲の脂肪をカップ部内に掬い寄せる。これにより、乳房およびその周辺のボディラインを美しくすることができる。
【先行技術文献】
【特許文献】
【０００３】
【特許文献１】登録実用新案第３１４５２７２号公報
【発明の概要】
【発明が解決しようとする課題】
【０００４】
ところで、特許文献１のブラジャーにおいては、乳房の下方の部分が支持部により締め付けられている。このため、同ブラジャーを着用したユーザにおいては、乳房の下方の部分の脂肪が乳房の下方からその周囲に分散する。そして、この状態から乳房の下方の脂肪をカップ部内に掬い上げる動作を行なう必要があるため、すなわち分散した脂肪をカップ部内に掬い上げる動作が必要となるため、乳房のかたちを整える作業が行ないにくい。
【０００５】
本発明は上記課題に鑑みてなされたものであり、その目的は、乳房の周囲の脂肪をカップ部内に掬い寄せる動作を行いやすくすることのできるカップ付き女性用衣類を提供することにある。
【課題を解決するための手段】
【０００６】
上記目的を達成するための手段および作用効果を以下に記載する。
（１）請求項１に記載の発明は、乳房を支持するカップ部と、同カップ部を下方から支持する支持部とを備えるカップ付き女性用衣類において、前記支持部のうちの前記カップ部の下方と対応する部分に開口部が設けられていることを要旨としている。
【０００７】
上記発明によれば、支持部に開口部が設けられているため、ユーザが本カップ付き女性用衣類を着用したときに乳房の周囲の脂肪が支持部により押さえ付けられる度合いが小さくなる。これにより、乳房の下方の部分の脂肪が分散しにくいため、乳房の周囲の脂肪をカップ部内に掬い寄せる動作を行ないやすくなる。
【０００８】
（２）請求項２に記載の発明は、請求項１に記載のカップ付き女性用衣類において、前記開口部を覆う被覆部が設けられていることを要旨としている。
本カップ付き女性用衣類においては、支持部に開口部が設けられているため、ユーザが同衣類を着用したときに開口部の縁にボディラインの段差が形成されやすい。上記発明によれば、開口部が被覆部により覆われるため、ボディラインの段差を目立たなくすることができる。
【０００９】
（３）請求項３に記載の発明は、請求項２に記載のカップ付き女性用衣類において、前記被覆部の伸縮性が前記支持部の伸縮性よりも大きいことを要旨としている。
上記発明によれば、被覆部の伸縮性が支持部の伸縮性よりも大きいため、カップ部の上方からカップ部の裏側を介して支持部の裏側に手を差し入れる動作を行なうとき、手の動きが被覆部により妨げられることが抑制される。
【００１０】
（４）請求項４に記載の発明は、請求項２または３に記載のカップ付き女性用衣類において、前記被覆部が前記開口部に対応する身体の表面を押さえ付けることが可能な張力を生じることを要旨としている。
【００１１】
上記発明によれば、本カップ付き女性用衣類を着用したユーザにおいて、開口部に対応する部分の身体の表面が被覆部により押さえ付けられるため、ボディラインと開口部の縁との段差が小さくなる。
【００１２】
（５）請求項５に記載の発明は、請求項２〜４のいずれか一項に記載のカップ付き女性用衣類において、前記被覆部の右縁および前記被覆部の左縁が前記支持部に接続されていること、ならびに、前記被覆部の上縁が前記支持部および前記カップ部から独立していることを要旨としている。
【００１３】
上記発明によれば、被覆部の上縁が支持部およびカップ部から独立しているため、支持部と被覆部の上縁との間から開口部に手を差し入れることが可能となる。すなわち、開口部に脂肪を寄せるための動作の態様の幅が広くなる。
【００１４】
（６）請求項６に記載の発明は、請求項５に記載のカップ付き女性用衣類において、前記被覆部の下縁が前記支持部から独立していることを要旨としている。
上記発明によれば、被覆部の上縁および下縁がそれぞれ支持部から独立しているため、被覆部の上縁および下縁の少なくとも一方が支持部に接続されている構成と比較して、被覆部を支持部に対してずらすことができる量が大きくなる。このため、被覆部を支持部に対してずらした状態で開口部の脂肪をカップ部に掬い寄せる動作を行なうことができる。
【００１５】
（７）請求項７に記載の発明は、請求項１〜６のいずれか一項に記載のカップ付き女性用衣類において、前記カップ部には、右の乳房を覆う右カップと左の乳房を覆う左カップとが設けられていること、前記開口部として、前記右カップに対応する右開口部、および前記左カップに対応する左開口部が設けられていること、ならびに、前記右開口部と前記左開口部との間に設けられて前記右開口部と前記左開口部とを互いに隔てる中間支持部が前記支持部に設けられていることを要旨としている。
【００１６】
右カップおよび左カップの双方に対応して開口部が形成される構成として、支持部において右カップの下方の部分から左カップの下方の部分までにわたり連続した１つの開口部を形成するものが考えられる。この構成においては、支持部において右カップおよび左カップの間に対応する部分が開口しているため、ユーザが本カップ付き女性用衣類を着用したときに右カップおよび左カップ位置が安定しないおそれがある。
【００１７】
上記発明においては、右開口部と左開口部とを互いに隔てる中間支持部が設けられているため、すなわち支持部において右カップおよび左カップの間に対応する部分が中間支持部により支持されるため、ユーザが本カップ付き女性用衣類を着用したときの右カップおよび左カップの位置を安定させることができる。
【００１８】
（８）請求項８に記載の発明は、請求項７に記載のカップ付き女性用衣類において、前記右開口部の幅が前記右カップの最大の幅の３分の１以上の大きさに設定されていること、ならびに、前記左開口部の幅が前記左カップの最大の幅の３分の１以上の大きさに設定されていることを要旨としている。
【００１９】
上記発明では、右開口部および左開口部の幅がそれぞれ右カップおよび左カップの大きさの３分の１以上に設定されているため、標準的な大きさの手のユーザにおいては、乳房の周囲の脂肪を掬い上げる動作を行なうときに開口部に容易に手を差し入れることができる。
【００２０】
（９）請求項９に記載の発明は、請求項１〜８のいずれか一項に記載のカップ付き女性用衣類において、前記開口部の幅が上方から下方に向かうにつれて次第に大きくなることを要旨としている。
【００２１】
上記発明によれば、開口部の上部の幅が開口部の下部の幅よりも小さいため、すなわち支持部においてカップ部に近い部分の開口部の幅が小さいため、開口部の上部の幅が開口部の下部の幅よりも大きい構成と比較して、ユーザが本カップ付き女性用衣類を着用したときのカップ部の位置が安定する。
【００２２】
（１０）請求項１０に記載の発明は、請求項１〜９のいずれか一項に記載のカップ付き女性用衣類において、前記支持部のうちの前記開口部の縁に対応する部分を補強する補強部材が設けられていることを要旨としている。
【００２３】
上記発明によれば、開口部の縁が補強部材により補強されているため、ユーザが本カップ付き女性用衣類を着用したときの支持部の形状が安定する。このため、支持部によりカップ部の位置を安定させる効果が高くなる。
【００２４】
（１１）請求項１１に記載の発明は、請求項１〜１０のいずれか一項に記載のカップ付き女性用衣類において、前記支持部には、前記カップ部に接続されて前記支持部の主要な部分を形成する基礎支持部と、前記支持部においての前記開口部の下方に対応する部分を形成する下方支持部とが含まれること、ならびに、前記下方支持部の張力が前記基礎支持部の張力よりも大きいことを要旨としている。
【００２５】
上記発明においては、下方支持部の張力が基礎支持部の張力よりも大きいため、ユーザが本カップ付き女性用衣類を着用するときに下方支持部が身体の表面にフィットしやすくなる。このため、本カップ付き女性用衣類を着用したユーザの動作にともない支持部が身体から離れることを抑制することができる。
【００２６】
（１２）請求項１２に記載の発明は、請求項１〜１１のいずれか一項に記載のカップ付き女性用衣類において、前記支持部が前記カップ部の下方からウエストと対応する部分までにわたり設けられていることを要旨としている。
【００２７】
上記発明によれば、支持部がカップ部の下方からウエストと対応する部分までにわたり設けられているため、開口部の面積をより大きくすることができる。このため、乳房の周囲の脂肪を掬い寄せる動作がより行いやすくなる。
【発明の効果】
【００２８】
本発明によれば、乳房の周囲の脂肪をカップ部内に掬い寄せる動作が行いやすくすることのできるカップ付き女性用衣類を提供することができる。
【図面の簡単な説明】
【００２９】
【図１】本発明の一実施形態のカップ付き女性用衣類について、その正面構造を示す正面図。
【図２】同実施形態のカップ付き女性用衣類について、被覆部が取り外された状態の正面構造を示す正面図。
【図３】同実施形態のカップ付き女性用衣類について、その背面構造を示す背面図。
【図４】同実施形態のカップ付き女性用衣類について、同衣類を着用するときのユーザの動作を模式的に示す動作図。
【図５】本発明のその他の実施形態としてのカップ付き女性用衣類について、その正面構造を示す正面図。
【発明を実施するための形態】
【００３０】
図１〜図４を参照して、本発明の一実施形態について説明する。
本実施形態では、支持部がカップ部からウエストまでにわたり設けられているロングタイプのブラジャー１として本発明を具体化した一例を示している。なお、図１〜図３においては、ユーザに着用されている状態のブラジャー１を示している。また、ブラジャー１を構成する各生地同士の縫い目を実線で示している。また、生地に取り付けられたボーンおよびワイヤーを破線で示している。
【００３１】
ここで、身体の方向に関する用語として以下のものを定義する。
・「前方」は、身体の背面から前面に向かう方向を示す。
・「後方」は、身体の前面から背面に向かう方向を示す。
・「上方」は、足から頭に向かう方向を示す。
・「下方」は、頭から足に向かう方向を示す。
・「左方」は、右半身から左半身に向かう方向を示す。
・「右方」は、左半身から右半身に向かう方向を示す。
・「高さ方向」は、上方および下方に沿う方向を示す。
・「幅方向」は、右方および左方に沿う方向を示す。
・「内側」は、幅方向においての身体の中心側を示す。
・「外側」は、幅方向においての身体の中心側とは反対側を示す。
【００３２】
また、身体の各部位に関する用語として以下のものを定義する。
・「胸部」は、体幹の前面においてみぞおちよりも上方の部分を示す。
・「脇」は、体幹の側部において上腕の内側と対応する部分を示す。
・「腹部」は、体幹の前面においてみぞおちよりも下方の部分を示す。
・「上腹部」は、腹部のうちのウエストよりも上方の部分を示す。
・「脇腹」は、腹部のうちの外側の部分を示す。
・「肩甲部」は、体幹の背面において肩甲骨と対応する部分を示す。
・「背部」は、体幹の背面においてウエストよりも上方かつ肩甲部を除く部分を示す。
・「バージスライン」は、乳房の下縁およびこれに連続する乳房の側部の縁を示す。
【００３３】
また、生地に関する用語として以下のものを定義する。
・「裏側」は、生地において身体の表面と対向する側を示す。
・「表側」は、生地において裏側とは反対側を示す。
【００３４】
図１を参照して、ブラジャー１の構成について説明する。
ブラジャー１には、乳房を支持するカップ部１０と、身体に対するカップ部１０の位置を保持する支持部２０と、肩に掛けるためのストラップ７０とが設けられている。支持部２０には、胸部において乳房の下方の部分を覆う正面支持部３０（図１および図２）と、背部および肩甲部を覆う背面支持部６０（図３）とが設けられている。ストラップ７０には、長さを調整するためのアジャスター７１が設けられている。
【００３５】
カップ部１０の構成について説明する。
カップ部１０には、右の乳房を覆う右カップ１１と、左の乳房を覆う左カップ１２とが設けられている。右カップ１１および左カップ１２には、接続縁１３に沿うようにワイヤー１４が設けられている。
【００３６】
右カップ１１および左カップ１２の接続縁１３は、それぞれ乳房のバージスラインに対応している。また、右カップ１１の接続縁１３の一部、および左カップ１２の接続縁１３の一部は、それぞれ正面支持部３０に縫い付けられている。
【００３７】
正面支持部３０の構成について説明する。
正面支持部３０には、右カップ１１および左カップ１２を支持する中間支持部３１と、右カップ１１を支持する右側支持部３２と、左カップ１２を支持する左側支持部３３と、中間支持部３１と右側支持部３２とを互いに接続する右側ヘムベルト３４と、中間支持部３１と左側支持部３３とを互いに接続する左側ヘムベルト３５とが設けられている。また正面支持部３０には、身体の表面を露出させるための開口部３６が形成されている。
【００３８】
なお、中間支持部３１、右側支持部３２、および左側支持部３３は「基礎支持部」に相当する。また、右側ヘムベルト３４および左側ヘムベルト３５は「下方支持部」に相当する。
【００３９】
中間支持部３１は、胸部においての右乳房および左乳房の間の部分、ならびに上腹部においての幅方向の中央およびその付近の部分に対応して設けられている。また、中間支持部３１の下縁３１Ｅはウエストに対応している。
【００４０】
右側支持部３２は、胸部においての右乳房のバージスラインよりも外側の部分、上腹部の前面においての右脇付近の部分、および右脇を覆う部分に対応して設けられている。また、右側支持部３２の下縁３２Ｅはウエストに対応している。
【００４１】
左側支持部３３は、胸部においての左乳房のバージスラインよりも外側の部分、上腹部の前面においての左脇付近の部分、および左脇を覆う部分に対応して設けられている。また、左側支持部３３の下縁３３Ｅはウエストに対応している。
【００４２】
開口部３６としては、右カップ１１の下方に位置する右開口部３６Ｒと、左カップ１２の下方に位置する左開口部３６Ｌとが設けられている。右開口部３６Ｒは、中間支持部３１、右側支持部３２、右側ヘムベルト３４、および右カップ１１に囲まれた空間として形成されている。左開口部３６Ｌは、中間支持部３１、左側支持部３３、左側ヘムベルト３５、および左カップ１２に囲まれた空間として形成されている。
【００４３】
被覆部５０の構成について説明する。
被覆部５０は、右脇と対応する部分から上腹部を介して左脇と対応する部分までにわたり設けられている。すなわち、右開口部３６Ｒおよび左開口部３６Ｌを覆う部分として設けられている。
【００４４】
被覆部５０の上縁５１および下縁５２は、カップ部１０、正面支持部３０、および背面支持部６０から独立している。被覆部５０の右縁５３は、右側支持部３２に縫い付けられている。被覆部５０の左縁５４は、左側支持部３３に縫い付けられている。
【００４５】
被覆部５０において開口部３６に対応する部分の幅を「基準被覆部幅ＬＫ」としたとき、この基準被覆部幅ＬＫは、ブラジャー１がユーザに着用されたときに適正範囲内の張力が被覆部５０に生じる大きさに設定されている。
【００４６】
なお、適正範囲内の張力とは、ブラジャー１を着用したユーザにおいて開口部３６に対応する部分の脂肪が被覆部５０の張力により適度に押さえ付けられる張力を示す。また、適度に押さえ付けられる張力とは、開口部３６の縁に形成されるボディラインの段差を小さくすることが可能であり、かつユーザが過度の圧迫感を覚えない大きさの張力を示す。
【００４７】
ブラジャー１の各部位は次の生地により構成されている。
カップ部１０は、厚手生地により構成されている。また正面支持部３０は、薄手生地により構成されている。また被覆部５０は、パワー生地により構成されている。また背面支持部６０は、パワー生地およびメッシュ生地により構成されている。
【００４８】
厚手生地は、パワー生地およびメッシュ生地よりも伸縮性が低い。薄手生地は、パワー生地およびメッシュ生地よりも伸縮性が低い。パワー生地は、厚手生地および薄手生地よりも伸縮性が高い。メッシュ生地は、パワー生地と同じ伸縮性を有する。
【００４９】
図２を参照して、開口部３６およびその周辺の部分の構成について説明する。
右開口部３６Ｒの外側の縁は、高さ方向において上方から下方に向かうにつれて幅方向の内側から外側に向けて傾斜している。右開口部３６Ｒの内側の縁は、高さ方向において上方から下方に向かうにつれて幅方向の外側から内側に向けて傾斜している。すなわち、右開口部３６Ｒの幅は、上方から下方に向かうにつれて次第に大きくなる。
【００５０】
右開口部３６Ｒの上部の幅を「右開口幅ＬＨ１」とし、右カップ１１の最大の幅を「右カップ幅ＬＣ１」としたとき、右開口幅ＬＨ１は右カップ幅ＬＣ１の半分の大きさに設定されている。
【００５１】
右側支持部３２には、右開口部３６Ｒの縁を補強する右外ボーン４１および右内ボーン４２が設けられている。右外ボーン４１および右内ボーン４２としては、厚手生地よりも硬い素材により形成されたものが用いられている。
【００５２】
右外ボーン４１は、右側支持部３２において右開口部３６Ｒの外側の縁に沿うように設けられている。すなわち、高さ方向において上方から下方に向かうにつれて幅方向の内側から外側に向けて傾斜している。
【００５３】
右内ボーン４２は、中間支持部３１において右開口部３６Ｒの内側の縁に沿うように設けられている。すなわち、高さ方向において上方から下方に向かうにつれて幅方向の外側から内側に向けて傾斜している。
【００５４】
左開口部３６Ｌの外側の縁は、高さ方向において上方から下方に向かうにつれて幅方向の内側から外側に向けて傾斜している。左開口部３６Ｌの内側の縁は、高さ方向において上方から下方に向かうにつれて幅方向の外側から内側に向けて傾斜している。すなわち、左開口部３６Ｌの幅は、上方から下方に向かうにつれて次第に大きくなる。
【００５５】
左開口部３６Ｌの上部の幅を「左開口幅ＬＨ２」とし、左カップ１２の最大の幅を「左カップ幅ＬＣ２」としたとき、左開口幅ＬＨ２は左カップ幅ＬＣ２の半分の大きさに設定されている。
【００５６】
左側支持部３３には、左開口部３６Ｌの縁を補強する左外ボーン４３および左内ボーン４４が設けられている。左外ボーン４３および左内ボーン４４としては、厚手生地よりも硬い素材により形成されたものが用いられている。
【００５７】
左外ボーン４３は、左側支持部３３において左開口部３６Ｌの外側の縁に沿うように設けられている。すなわち、高さ方向において上方から下方に向かうにつれて幅方向の内側から外側に向けて傾斜している。
【００５８】
左内ボーン４４は、中間支持部３１において左開口部３６Ｌの内側の縁に沿うように設けられている。すなわち、高さ方向において上方から下方に向かうにつれて幅方向の外側から内側に向けて傾斜している。
【００５９】
支持部２０には、右脇および左脇に対応する部分を補強する右脇ボーン４５および左脇ボーン４６が設けられている。右脇ボーン４５および左脇ボーン４６としては、厚手生地よりも硬い素材により形成されたものが用いられている。
【００６０】
右脇ボーン４５は、正面支持部３０の右側支持部３２と背面支持部６０の右側支持部６１との境界の部分に設けられている。左脇ボーン４６は、正面支持部３０の左側支持部３３と背面支持部６０の左側支持部６５との境界の部分に設けられている。
【００６１】
図３を参照して、背面支持部６０の構成について説明する。
背面支持部６０には、右半身の背部および右半身の肩甲部を覆う右側支持部６１と、左半身の背部および左半身の肩甲部を覆う左側支持部６５とが設けられている。
【００６２】
右側支持部６１には、右脇付近および背部の右側の部分を覆う右背部支持部６２と、右側の肩甲部を覆う右肩甲部支持部６３とが設けられている。また、右側支持部６１の右縁が図１の右側支持部３２の右縁に縫い合わせられている。右肩甲部支持部６３には、右側のストラップ７０が接続されている。
【００６３】
左側支持部６５には、左脇付近および背部の左側の部分を覆う左背部支持部６６と、左側の肩甲部を覆う左肩甲部支持部６７とが設けられている。また、左側支持部６５の左縁が図１の左側支持部３３の左縁に縫い合わせられている。左肩甲部支持部６７には、左側のストラップ７０が接続されている。
【００６４】
右側支持部６１の右背部支持部６２の左縁には、６つのフック６４が高さ方向に並べて設けられている。左側支持部６５の左背部支持部６６の右縁付近には、フック６４に対応して６つのフック受部６８が高さ方向に並べて設けられている。また、同６つのフック受部６８を１列として、幅方向に３列のフック受部６８が設けられている（図示略）。着用者は、アンダーバストのサイズに合わせてフック受部６８の列を選択することにより、背面支持部６０の締め付け度合いを調整することができる。
【００６５】
図４を参照して、ブラジャー１を着用するときの動作について説明する。
同図は、左手により右カップ１１内にバージスライン周辺の脂肪を掬い寄せる動作（下記の（手順Ｊ））を示している。右手により左カップ１２内にバージスライン周辺の脂肪を掬い寄せる動作は、左手による動作と同様の態様で行なわれる。このため、右手による動作については図示を省略する。
【００６６】
ユーザは、以下の手順によりブラジャー１を着用する。
（手順Ａ）ストラップ７０を肩にかける。
（手順Ｂ）右カップ１１内および左カップ１２内のそれぞれに乳房を収める。
（手順Ｃ）各フック６４を対応するフック受部６８にかける。
（手順Ｄ）右手により右側ヘムベルト３４をめくり上げた状態に保持する。
（手順Ｅ）右開口部３６Ｒの周囲の部分の脂肪を右開口部３６Ｒに寄せる。
（手順Ｆ）右側ヘムベルト３４をもとの状態に戻す。
（手順Ｇ）被覆部５０を下方にずらして右開口部３６Ｒを露出させる。
（手順Ｈ）左手を右カップ１１の上方から右カップ１１と乳房との間に入れる。
（手順Ｉ）左手の指先を右開口部３６Ｒに到達させる。
（手順Ｊ）左手の指先により右開口部３６Ｒの脂肪を右カップ１１内に掬い寄せる。
（手順Ｋ）左手を右カップ１１から抜き出す。
（手順Ｌ）左カップ１２について（手順Ｄ）から（手順Ｋ）と同様の動作を行なう。
【００６７】
上記（手順Ｅ）においての右開口部３６Ｒの周囲の部分の脂肪には、右側ヘムベルト３４の下方の脂肪、中間支持部３１と対向する部分の脂肪、および右側支持部３２と対向する部分の脂肪が含まれる。
【００６８】
上記（手順Ｉ）において右開口部３６Ｒに露出させる指の数は３本以上とすることが好ましい。ブラジャー１においては、右開口幅ＬＨ１が右カップ幅ＬＣ１の半分以上の大きさに設定されているため、標準的な大きさの手のユーザであれば、３本以上の指を右開口部３６Ｒに露出させることができる。
【００６９】
（実施形態の効果）
本実施形態のブラジャー１によれば以下の効果が得られる。
（１）ブラジャー１には、正面支持部３０のうちのカップ部１０の下方と対応する部分に開口部３６が設けられている。この構成によれば、ユーザがブラジャー１を着用したときに乳房の周囲の脂肪が正面支持部３０により押さえ付けられる度合いが小さくなる。これにより、乳房の下方の脂肪が分散しにくいため、乳房の周囲の脂肪をカップ部１０内に掬い寄せる動作が行ないやすくなる。また、開口部３６が設けられない構成と比較して、ユーザが覚える圧迫感が軽減される。
【００７０】
（２）また、開口部３６を用いてブラジャー１を着用するときの動作として、上記（手順Ｅ）の動作を行うことができる。これにより、カップ部１０の周囲の脂肪をカップ部１０に容易に掬い寄せることができる。
【００７１】
（３）また、カップ部１０の上方から手を差し入れて脂肪をカップ部１０に掬い寄せるとき、開口部３６において手を動かしながら脂肪を掬い寄せることができる。これにより、上記（手順Ｊ）の動作を容易に行うことができる。
【００７２】
（４）また、開口部３６が設けられない構成と比較して、カップ部１０と正面支持部３０とが連動しにくいため、カップ部１０により乳房を安定して支持することと、正面支持部３０を身体の動きに追従させることとを両立することができる。
【００７３】
（５）ブラジャー１においては、正面支持部３０に開口部３６が設けられているため、ユーザがブラジャー１を着用したときに開口部３６の縁にボディラインの段差が形成される。一方、開口部３６を覆う被覆部５０が設けられているため、同段差を目立たなくすることができる。
【００７４】
（６）ブラジャー１においては、被覆部５０の伸縮性が正面支持部３０の伸縮性よりも大きい。この構成によれば、カップ部１０の上方からカップ部１０の裏側を介して正面支持部３０の裏側に手を差し入れる動作を行なうとき、手の動きが被覆部５０により妨げられることが抑制される。また、被覆部５０の伸縮性が正面支持部３０の伸縮性と同じまたは小さい構成と比較して、ユーザが覚える圧迫感が軽減される。
【００７５】
（７）ブラジャー１においては、開口部３６に対応する身体の表面を押さえ付けることが可能な張力が生じるように被覆部５０が設けられている。この構成によれば、ブラジャー１を着用したユーザにおいて、開口部３６に対応する部分の身体の表面が被覆部５０により押さえ付けられるため、ボディラインと開口部３６の縁との段差を小さくすることができる。
【００７６】
（８）ブラジャー１においては、被覆部５０の右縁５３および被覆部５０の左縁５４が正面支持部３０に縫い付けられている。また、被覆部５０の上縁５１が正面支持部３０およびカップ部１０から独立している。この構成によれば、正面支持部３０と被覆部５０の上縁との間から開口部３６に手を差し入れることが可能となる。すなわち、開口部３６に脂肪を寄せるための動作の態様の幅が広くなる。
【００７７】
（９）ブラジャー１においては、被覆部５０の上縁５１および下縁５２がそれぞれ正面支持部３０から独立している。この構成によれば、被覆部５０の上縁５１および下縁５２の少なくとも一方が正面支持部３０に接続される構成と比較して、被覆部５０を正面支持部３０に対してずらすことができる量が大きくなる。このため、被覆部５０を正面支持部３０に対してずらした状態で開口部３６の脂肪をカップ部１０に掬い寄せる動作を行なうことができる。
【００７８】
（１０）ブラジャー１とは正面支持部３０の構成が相違し、それ以外については同一の構成を有するブラジャーを「比較例のブラジャー」として、このブラジャーとの対比に基づいてブラジャー１により得られる効果について説明する。
【００７９】
比較例のブラジャーにおいては、右カップ１１の下方の部分から左カップ１２の下方の部分までにわたり連続した１つの開口部が形成されている。この構成においては、正面支持部において右カップ１１および左カップ１２の間に対応する部分が開口しているため、ユーザがブラジャーを着用したときに右カップ１１および左カップ１２の位置が安定しないおそれがある。
【００８０】
これに対して、本実施形態のブラジャー１においては、右開口部３６Ｒと左開口部３６Ｌとの間に設けられて右開口部３６Ｒと左開口部３６Ｌとを互いに隔てる中間支持部３１が正面支持部３０に設けられている。この構成によれば、正面支持部３０において右カップ１１および左カップ１２の間に対応する部分が中間支持部３１により支持されるため、ユーザがブラジャー１を着用したときの右カップ１１および左カップ１２の位置を安定させることができる。
【００８１】
（１１）ブラジャー１においては、右開口幅ＬＨ１が右カップ幅ＬＣ１の半分に設定されている。また、左開口幅ＬＨ２が左カップ幅ＬＣ２の半分の大きさに設定されている。この構成によれば、標準的な大きさの手のユーザにおいては、乳房の周囲の脂肪を掬い上げる動作を行なうときに開口部３６に容易に手を差し入れることができる。
【００８２】
（１２）ブラジャー１においては、各開口部３６Ｒ，３６Ｌの幅が上方から下方に向かうにつれて次第に大きくなる。すなわち、正面支持部３０においてカップ部１０に近い部分の各開口部３６Ｒ，３６Ｌの幅が小さい。この構成によれば、各開口部３６Ｒ，３６Ｌの上部の幅が各開口部３６Ｒ，３６Ｌの下部の幅よりも大きい構成と比較して、ユーザがブラジャー１を着用したときのカップ部１０の位置が安定する。また、開口部３６の下部の幅が大きいため、上記（手順Ｅ）の動作を行うときにより多くの脂肪を開口部３６に寄せることができる。
【００８３】
（１３）ブラジャー１においては、開口部３６の縁を補強するボーン４１〜４４が設けられている。この構成によれば、ユーザがブラジャー１を着用したときの正面支持部３０の形状が安定するため、正面支持部３０によりカップ部１０の位置を安定させる効果が高くなる。
【００８４】
（１４）ブラジャー１においては、各ヘムベルト３４，３５の張力が中間支持部３１、右側支持部３２、および左側支持部３３の張力よりも大きい。この構成によれば、ユーザがブラジャー１を着用するときに各ヘムベルト３４，３５が身体の表面にフィットしやすくなるため、ブラジャー１を着用したユーザの動作にともない正面支持部３０が身体から離れることを抑制することができる。
【００８５】
（１５）ブラジャー１においては、正面支持部３０がカップ部１０の下方からウエストと対応する部分までにわたり設けられている。この構成によれば、開口部３６の面積をより大きくすることができるため、乳房の周囲の脂肪を掬い寄せる動作がより行いやすくなる。
【００８６】
（１６）ロングタイプのブラジャーにおいては、正面支持部が高さ方向に長いことによりカップ部周辺の脂肪を掬い寄せる作業が行ないにくい。これに対して、本実施形態のブラジャー１においては、正面支持部３０に開口部３６が設けられているため、カップ部１０周辺の脂肪をカップ部１０に掬い寄せる作業が行ないやすくなる。
【００８７】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００８８】
・上記実施形態のブラジャー１の構成を図５に示されるように変更することもできる。図５のブラジャー１００においては、以下の各点が上記実施形態のブラジャー１から変更されている。なお、ブラジャー１００において上記実施形態のブラジャー１と共通する構成については、同一の符号を付して説明する。
【００８９】
（Ａ）ブラジャー１においては、正面支持部３０として下縁がウエストに対応するものが用いられている。これに対して、ブラジャー１００においては、下縁が上腹部の中間に対応する正面支持部１１０が設けられている。
【００９０】
（Ｂ）ブラジャー１においては、正面支持部３０として右側ヘムベルト３４および左側ヘムベルト３５を有するものが用いられている。これに対して、ブラジャー１００においては、ヘムベルトが省略されているとともに全体が薄手生地により構成された正面支持部１１０が用いられている。
【００９１】
（Ｃ）ブラジャー１においては、右開口部３６Ｒおよび左開口部３６Ｌとして、右開口幅ＬＨ１および左開口幅ＬＨ２がそれぞれ右カップ幅ＬＣ１および左カップ幅ＬＣ２よりも小さいものが形成されている。これに対して、ブラジャー１００においては、開口部１２０として右カップ幅ＬＣ１および左カップ幅ＬＣ２よりも幅が大きい右開口部１２１Ｒおよび左開口部１２１Ｌが形成されている。
【００９２】
・上記実施形態では、右カップ１１および左カップ１２の間からウエストに対応する部分までにわたり中間支持部３１を設けているが、中間支持部３１のうちのカップ部１０よりも下方の部分を省略することもできる。この構成においては、右開口部３６Ｒおよび左開口部３６Ｌが連続した１つの開口部が正面支持部３０に形成される。
【００９３】
・上記実施形態では、右側ヘムベルト３４および左側ヘムベルト３５としてパワー生地により構成されたものを用いているが、各ヘムベルト３４，３５の少なくとも一方の素材をゴムまたは薄手生地に変更することもできる。
【００９４】
・上記実施形態では、右開口部３６Ｒについて右開口幅ＬＨ１を右カップ幅ＬＣ１の半分の大きさに設定しているが、右開口幅ＬＨ１の大きさを以下のように変更することもできる。なお、左開口部３６Ｌについても同様に左開口幅ＬＨ２の大きさを変更することができる。
（Ａ）右開口幅ＬＨ１を右カップ幅ＬＣ１の３分の１の大きさに設定する。
（Ｂ）右開口幅ＬＨ１を右カップ幅ＬＣ１の４分の３の大きさに設定する。
（Ｃ）右開口幅ＬＨ１を右カップ幅ＬＣ１と同じ大きさに設定する。
（Ｄ）右開口幅ＬＨ１を右カップ幅ＬＣ１よりも大きいものに設定する。
（Ｅ）右開口幅ＬＨ１を右カップ幅ＬＣ１の３分の１未満に設定する。
【００９５】
・上記実施形態では、右開口部３６Ｒにおいて上方から下方に向かうにつれて右開口部３６Ｒの幅を次第に大きくしているが、右開口部３６Ｒの幅の大きさを以下のように変更することもできる。なお、左開口部３６Ｌについても同様に幅の大きさを変更することができる。
（Ａ）高さ方向の全体にわたり右開口部３６Ｒの幅を同じ大きさにする。
（Ｂ）上方から下方に向かうにつれて右開口部３６Ｒの幅を小さくする。
【００９６】
・上記実施形態では、カップ部１０の接続縁１３、右側支持部３２の左縁、中間支持部３１の右縁、およびヘムベルト３４の上縁の４つの縁により右開口部３６Ｒが形成されているが、例えば以下の形状の開口部を形成することもできる。なお、左開口部３６Ｌについても同様に開口部の形状を変更することができる。
【００９７】
（Ａ）右側ヘムベルト３４を省略するとともに、右側支持部３２の左縁の下部と中間支持部３１の右縁の下部とを互いに接続する。この構成によれば、カップ部１０の接続縁１３、右側支持部３２の左縁、および中間支持部３１の右縁の３つの縁により右開口部が形成される。
【００９８】
（Ｂ）右側支持部３２の左縁の上部と中間支持部３１の右縁の上部とを互いに接続する。この構成によれば、右側支持部３２の左縁、中間支持部３１の右縁、およびヘムベルト３４の上縁の３つの縁により右開口部が形成される。
【００９９】
（Ｃ）右側支持部３２の左縁、中間支持部３１の右縁、および右側ヘムベルト３４の上縁の各縁を上記実施形態の直線形状から曲線形状に変更する。この構成によれば、カップ部１０の接続縁１３、右側支持部３２の左縁、中間支持部３１の右縁、および右側ヘムベルト３４の上縁の４つの縁により右開口部が形成される。
【０１００】
・上記実施形態では、１枚の被覆部５０により右開口部３６Ｒおよび左開口部３６Ｌを覆う構成を採用しているが、右開口部３６Ｒおよび左開口部３６Ｌのそれぞれを覆う２枚の被覆部を設けることもできる。
【０１０１】
この構成においては、右開口部３６Ｒに対応する被覆部の右縁が右側支持部３２に縫い付けられる。また、右開口部３６Ｒに対応する被覆部の左縁が中間支持部３１に縫い付けられる。また、左開口部３６Ｌに対応する被覆部の左縁が左側支持部３３に縫い付けられる。また、左開口部３６Ｌに対応する被覆部の右縁が中間支持部３１に縫い付けられる。
【０１０２】
・上記実施形態では、被覆部５０の上縁５１を支持部２０およびカップ部１０から独立させているが、被覆部５０の上縁５１の少なくとも一部を支持部２０およびカップ部１０の少なくとも一方に接続することもできる。
【０１０３】
・上記実施形態では、被覆部５０の下縁５２を支持部２０から独立させているが、被覆部５０の下縁５２の少なくとも一部を支持部２０に接続することもできる。
・上記実施形態では、被覆部５０の右縁５３および左縁５４をそれぞれ右側支持部３２および左側支持部３３に縫い付けているが、被覆部５０に右縁５３および左縁５４と各支持部３２，３３との接続態様を次のように変更することもできる。
（Ａ）面ファスナにより各縁５３，５４と各支持部３２，３３とを接続する。
（Ｂ）フックにより各縁５３，５４と各支持部３２，３３とを接続する。
【０１０４】
・上記実施形態では、被覆部５０を薄手生地よりも伸縮性の大きいパワー生地により構成しているが、薄手生地よりも伸縮性の小さい生地により被覆部５０を構成することもできる。また、パワー生地よりも伸縮性の大きい生地により被覆部５０を構成することもできる。
【０１０５】
・上記実施形態では、ブラジャー１がユーザに着用されたときに適正範囲内の張力が被覆部５０に生じるように基準被覆部幅ＬＫが設定されているが、ブラジャー１がユーザに着用されたときに被覆部５０に張力が生じないように基準被覆部幅ＬＫを設定することもできる。この場合の基準被覆部幅ＬＫは、少なくとも上記実施形態の基準被覆部幅ＬＫよりも大きい幅となる。
【０１０６】
・上記実施形態では、支持部２０の長さをカップ部１０からウエストに対応する部分までに設定しているが、支持部２０の長さを以下のように変更することもできる。
（Ａ）カップ部１０からみぞおちに対応する部分までの長さに設定する。
（Ｂ）カップ部１０から下腹部に対応する部分までの長さに設定する。
【０１０７】
・上記実施形態では、カップ付き女性用下着としてのブラジャーに対して本発明を適用しているが、他のカップ付き女性用下着に対して本発明を適用することもできる。本発明を適用することができる他の女性用下着としては、例えばコルセット、ボディースーツ、および水着が挙げられる。
【符号の説明】
【０１０８】
１…ブラジャー、１０…カップ部、１１…右カップ、１２…左カップ、１３…接続縁、１４…ワイヤー、２０…支持部、３０…正面支持部、３１…中間支持部（基礎支持部）、３１Ｅ…下縁、３２…右側支持部（基礎支持部）、３２Ｅ…下縁、３３…左側支持部（基礎支持部）、３３Ｅ…下縁、３４…右側ヘムベルト（下方支持部）、３５…左側ヘムベルト（下方支持部）、３６…開口部、３６Ｒ…右開口部、３６Ｌ…左開口部、４１…右外ボーン（補強部材）、４２…右内ボーン（補強部材）、４３…左外ボーン（補強部材）、４４…左内ボーン（補強部材）、４５…右脇ボーン、４６…左脇ボーン、５０…被覆部、５１…上縁、５２…下縁、５３…右縁、５４…左縁、６０…背面支持部、６１…右側支持部、６２…右背部支持部、６３…右肩甲支持部、６４…フック受部、６５…左側支持部、６６…左背部支持部、６７…左肩甲支持部、６８…フック、７０…ストラップ、７１…アジャスター、１００…ブラジャー、１１０…正面支持部、１２０…開口部、１２１Ｒ…右開口部、１２１Ｌ…左開口部。
【図１】
2012188778.tif 000003
【図２】
2012188778.tif 000004
【図３】
2012188778.tif 000005
【図４】
2012188778.tif 000006
【図５】
2012188778.tif 000007